(57)【要約】  【課題】細長い地板の一端側に寄せて撮影光路用の開口部を設けるのに適したカメラ用羽根駆動装置を提供すること。  【解決手段】地板３１は、中央部よりも右寄りに被写体光路用の開口部３１ａを有している。絞り羽根は、３枚の羽根３３，３４，３５からなっており、そのうち、真中に配置された羽根３３は、開口部３１ａより大きな開口部３３ａを有していて、地板３１の軸３１ｃで回転可能であり、また、羽根３４，３５は、絞り開口の開口規制縁３４ａ，３５ａを有していて、地板３１の軸３１ｂ，３１ｄで回転可能となっている。そして、それらの３枚の羽根３３，３４，３５に形成されている長孔に、モータの回転子３２ａと一体の駆動ピン３２ｂが嵌合している。【選択図】  図１１
2006178366.tif 000002
【特許請求の範囲】
【請求項１】
光路用開口部を有していてその長手方向の端部の一方と該光路用開口部との間における羽根室側の面を羽根取付領域としている地板と、前記地板に取り付けられていて前記地板との間に羽根室を構成しているカバー板と、前記地板に取り付けられている駆動手段と、前記光路用開口部より大きい開口部を有していて前記羽根取付領域に往復作動可能に取り付けられており前記駆動手段によって前記光路用開口部に進退させられる１枚の羽根からなる第１羽根と、前記地板と前記第１羽根との間に配置されていて前記羽根取付領域に回転可能に取り付けられており前記駆動手段によって前記光路用開口部に進退させられる少なくとも１枚の羽根からなる第２羽根と、前記カバー板と前記第１羽根との間に配置されていて前記羽根取付領域に回転可能に取り付けられており前記駆動手段によって前記第２羽根とは相反する方向へ回転されて前記光路用開口部に進退させられる第３羽根と、を備えていることを特徴とするカメラ用羽根駆動装置。
【請求項２】
前記第１羽根が、前記羽根取付領域にスライド可能に取り付けられていることを特徴とする請求項１に記載のカメラ用羽根駆動装置。
【請求項３】
前記第１羽根が、前記羽根取付領域に回転可能に取り付けられていることを特徴とする請求項１に記載のカメラ用羽根駆動装置。
【請求項４】
前記第１羽根，前記第２羽根，前記第３羽根が、いずれも長孔を有しており、前記駆動手段が往復回転可能なモータであって、該モータは、それらの長孔の全てに挿通させた駆動ピンを有していて、該駆動ピンを往復作動させることによって、それらの全ての羽根を同時に作動させるようにしたことを特徴とする請求項１に記載のカメラ用羽根駆動装置。
【請求項５】
前記第２羽根を構成している１枚の羽根と、前記第３羽根を構成している１枚の羽根には、開口規制縁が形成されていて、前記駆動手段によって前記光路用開口部に進入させられたとき、それらの両方の開口規制縁によって、前記光路用開口部よりも小さな開口を形成するようにしたことを特徴とする請求項１乃至４のいずれかに記載のカメラ用羽根駆動装置。
【請求項６】
前記開口規制縁を形成している２枚の羽根の一方が、前記地板又は前記カバー板に隣接して配置された羽根であり、該羽根には、隣接する前記地板又は前記カバー板側の面に、前記小さな開口形成時に該開口を覆い得るようにして、ＮＤフィルタ板が取り付けられており、該羽根に隣接する前記地板又は前記カバー板には、該羽根の作動時に、該ＮＤフィルタ板と接触しないように逃げ部が形成されていることを特徴とする請求項５に記載のカメラ用羽根駆動装置。
【発明の詳細な説明】
【技術分野】
【０００１】
本発明は、シャッタ装置，絞り装置，フィルタ装置，レンズバリア装置に適用可能なカメラ用羽根駆動装置に関する。
【背景技術】
【０００２】
周知のように、コンパクトカメラに備えられているシャッタ装置，絞り装置，フィルタ装置，レンズバリア装置は、撮影レンズの近傍に配置されていて、それらの装置の羽根は、撮影レンズの光軸に対して垂直な面で往復作動するように構成されている。また、それらの装置に備えられている羽根は、通常、２枚であることが多く、それらを、相反する方向へ同時に往復作動させるようにしている。そして、それらの往復作動は、回転の場合もあるし、直進の場合もある。
【０００３】
ところで、一般に、コンパクトカメラは、カメラ本体（カメラボディー）が、全体として薄い直方体（面積の大きな二つの面と、それらより面積の小さな細長い四つの面とからなる６面体）をしており、撮影をするときには、面積の大きな二つの面の一方を被写体に向けて構えるようにデザインされているのが標準的である。そして、撮影レンズは、一方の大きな面の略中央位置に配置されている。そのため、このような標準的デザインのカメラに組み付けられる各種の羽根駆動装置は、例えば下記の特許文献１に記載されているシャッタ装置のように、地板の形状は、羽根の形状との関係で、光路用開口部を中心にした円形又はそれに準じた形状となっている。
【０００４】
ところが、そのような形状の地板を備えている羽根駆動装置は、かつての１１０判（フィルム）カメラがそうであったように、略６面体の偏平形状をしているカメラ本体の細長い面を被写体に向けて撮影するようにデザインされたカメラには、組み付けることが不可能である。また、最近では、デジタルカメラが普及して、カメラ本体の薄型化が極端に進んでいるが、それらの中には、下記の特許文献２に記載されているようなデザインのカメラもある。このカメラは、撮影をするとき、面積の大きな二つの面の一方を被写体に向けて構えるようにデザインされているにもかかわらず、屈折光学系を用いて、被写体光をカメラ本体内に導入しているため、撮影レンズは、カメラ本体内で、上記したカメラ本体の細長い面に向いている。従って、特許文献１に記載されているような形状の地板を備えた羽根駆動装置は、このようなデザインのカメラにも組み付けることが不可能である。
【０００５】
そのため、羽根の形状，構成を変えて地板を細長い形状にしたことによって、上記の標準的なデザインをしたカメラのみならず、１１０判（フィルム）カメラのようなデザインのカメラにも、特許文献２に記載のようなデザインのカメラにも組み付けることを可能にしている絞り装置が、下記の特許文献３の図２に記載されている。そして、この絞り装置は、絞り羽根に絞り開口を規制するための切欠きを形成しているが、その切欠きを形成しないことによって、シャッタ装置にもバリア装置にも応用可能であるし、その切り欠きを覆うようにしてＮＤフィルタ板を取り付ければ、フィルタ装置にも応用可能なものである。本発明は、このように、細長い形状の地板を備えているカメラ用羽根駆動装置に関するものである。
【特許文献１】特開２００２−１９６３９１号公報
【特許文献２】特開２００２−２９０８０６号公報
【特許文献３】実用新案登録第２５２０２４７号公報
【発明の開示】
【発明が解決しようとする課題】
【０００６】
ところで、このような細長い地板を備えた羽根駆動装置の場合にも、カメラの小型化に寄与し得るようにするためや、カメラの設計の自由度を大きくするために、地板の長さを極力短くすることが要求されている。そのような観点から、特許文献３の図２に記載されている絞り装置を見てみると、２枚の絞り羽根は、地板の長手方向に沿って、相反する方向へ作動させられるようになっているため、地板には、光路用開口部（特許文献３では「受光開口」）の両側に、少なくともその光路用開口部よりも大きなスペースを設けざるを得ない構成になっている。
【０００７】
それらのスペースのうち、一方のスペースは、駆動手段を取り付けたり、駆動手段と絞り羽根との連結機構を配置したりする必要があるため、地板の長手方向の寸法を短くするのは容易でない。それに対して、もう一方のスペースは、主に、絞り羽根の作動領域を確保するためのものであるため、絞り羽根の形状や構成を工夫すれば、そのスペースにおける地板の長手方向の寸法を小さくできる可能性がある。そして、それが可能となった場合には、カメラの小型化に有利となるだけでなく、光路用開口部をカメラ本体の端や隅の近傍に配置させるカメラにも採用することが可能になることから、デザインが多彩であるデジタルカメラに用いて一段と有利なものになる。
【０００８】
本発明は、このような問題点を解決するためになされたものであり、その目的とするところは、細長い地板を備えたカメラ用羽根駆動装置において、従来のように、２枚の羽根を、光路用開口部を中心にして相反する方向へ作動させるようにすることなく、独特の構成を採用することによって、光路用開口部を間にした二つのスペースの一方を、地板の長手方向に短くできるようにしたカメラ用羽根駆動装置を提供することである。
【課題を解決するための手段】
【０００９】
上記の目的を達成するために、本発明のカメラ用羽根駆動装置は、光路用開口部を有していてその長手方向の端部の一方と該光路用開口部との間における羽根室側の面を羽根取付領域としている地板と、前記地板に取り付けられていて前記地板との間に羽根室を構成しているカバー板と、前記地板に取り付けられている駆動手段と、前記光路用開口部より大きい開口部を有していて前記羽根取付領域に往復作動可能に取り付けられており前記駆動手段によって前記光路用開口部に進退させられる１枚の羽根からなる第１羽根と、前記地板と前記第１羽根との間に配置されていて前記羽根取付領域に回転可能に取り付けられており前記駆動手段によって前記光路用開口部に進退させられる少なくとも１枚の羽根からなる第２羽根と、前記カバー板と前記第１羽根との間に配置されていて前記羽根取付領域に回転可能に取り付けられており前記駆動手段によって前記第２羽根とは相反する方向へ回転されて前記光路用開口部に進退させられる第３羽根と、を備えているようにする。
【００１０】
その場合、前記第１羽根が、前記羽根取付領域にスライド可能に取り付けられているようにしてもよいし、回転可能に取り付けられているようにしてもよい。また、前記第１羽根，前記第２羽根，前記第３羽根が、いずれも長孔を有しており、前記駆動手段が往復回転可能なモータであって、該モータは、それらの長孔の全てに挿通させた駆動ピンを有していて、該駆動ピンを往復作動させることによって、それらの全ての羽根を同時に作動させるようにするのが好ましい。
【００１１】
また、前記第２羽根を構成している１枚の羽根と、前記第３羽根を構成している１枚の羽根には、開口規制縁が形成されていて、前記駆動手段によって前記光路用開口部に進入させられたとき、それらの両方の開口規制縁によって、前記光路用開口部よりも小さな開口を形成するようにすると、絞り装置を得ることが可能になり、さらに、前記開口規制縁を形成している２枚の羽根の一方が、前記地板又は前記カバー板に隣接して配置された羽根であり、該羽根には、隣接する前記地板又は前記カバー板側の面に、前記小さな開口形成時に該開口を覆い得るようにして、ＮＤフィルタ板が取り付けられており、該羽根に隣接する前記地板又は前記カバー板には、該羽根の作動時に、該ＮＤフィルタ板と接触しないように逃げ部が形成されているようにすると、フィルタ装置を得ることが可能になる。
【発明の効果】
【００１２】
本発明は、細長い地板を備えたカメラ用羽根駆動装置において、全ての羽根を、光路用開口部を間にした二つのスペースの一方に取り付けて、他方のスペースにおける地板の長手方向の長さを短くすることができるようにしたものであるから、小型化が可能になり、カメラのデザイン設計の自由度が大きくなり、光路用開口部がカメラ本体の端の方に配置されているようなカメラにも組み付けることが可能になる。
【発明を実施するための最良の形態】
【００１３】
本発明の実施の形態を、図示した五つの実施例によって説明する。尚、図１〜図６は、実施例１のシャッタ装置を説明するためのものであり、図７及び図８は、実施例２のシャッタ装置を説明するためのものである。また、図９及び図１０は、実施例３の絞り装置を説明するためのものであり、図１１及び図１２は、実施例４の絞り装置を説明するためのものである。更に、図１３及び図１４は、実施例５のフィルタ装置を説明するためのものである。
【実施例１】
【００１４】
図１〜図６を用いて、実施例１のシャッタ装置を説明するが、図１は、そのシャッタ装置の分解斜視図である。また、図２〜図６は、夫々、図１に示されているシャッタ装置からカバー板を取り除いてシャッタ羽根の作動状態を示した平面図であって、図２はシャッタ羽根の全開状態を、図３はシャッタ羽根の閉じ作動の開始直後の状態を、図４はシャッタ羽根の閉じ行程の略中間の状態を、図５はシャッタ羽根の閉じ作動の終了直前の状態を、図６はシャッタ羽根の閉鎖状態を示したものである。
【００１５】
そこで、先ず、主に、図１を用いて、本実施例の構成を説明する。地板１は、合成樹脂製であり、細長くて比較的厚い平板状をしている。また、カバー板２は、薄い金属製の板材で製作されていて、地板１と略同じ外形をしている。そして、このカバー板２は、図示していない手段によって、地板１に所定の間隔を設けて取り付けられており、地板１との間に羽根室を構成している。地板１には、中央部よりも左寄りに被写体光路用の開口部１ａが形成されている。そのため、地板１の長手方向でみてみた場合、開口部１ａと左端との間の領域が、開口部１ａと右端との間の領域よりも小さい。そして、本実施例は、開口部１ａと右端との間の羽根室側の面だけが羽根取付領域となっている。
【００１６】
また、カバー板２にも、開口部１ａと対向するところに被写体光路用の開口部２ａが形成されている。この開口部２ａは、開口部１ａと類似の形状をしているが、開口部１ａよりは若干大きい。そのため、本実施例の場合は、開口部１ａが撮影光路を規制するようになっている。しかしながら、開口部２ａの方を小さくし、撮影光路を規制するようにしても構わない。また、本実施例のように、開口部１ａによって撮影光路を規制するようにした場合は、カバー板２の役目は、単に、後述の各羽根が地板１との間で安定して作動できるようにするためだけのものになるから、そのような機能が損なわれることがなく、且つ被写体光路に影響を与えないのであれば、開口部２ａはどのような形状にしてもよいし、場合によっては、孔形状にしなくてもよいことになる。
【００１７】
また、地板１には、その羽根取付領域に、六つの軸１ｂ，１ｃ，１ｄ，１ｅ，１ｆ，１ｇが立設されているほか、柱状の四つのストッパ１ｈ，１ｉ，１ｊ，１ｋが立設されている。そして、それらの軸１ｂ，１ｃ，１ｄ，１ｅ，１ｆ，１ｇの先端は、それぞれカバー板２に形成された孔２ｂ，２ｃ，２ｄ，２ｅ，２ｆ，２ｇに挿入され、ストッパ１ｈ，１ｉ，１ｊ，１ｋの先端は、それぞれカバー板２に形成された孔２ｈ，２ｉ，２ｊ，２ｋ，に挿入されている。更に、地板１の羽根取付領域には、地板１を貫通している円弧状の長孔１ｍが形成されている。この長孔１ｍは、図１が斜視図であるため分かりにくいが、実際には円弧状をしている。また、カバー板２にも、長孔１ｍと対向するところに、長孔１ｍと同じ形状の長孔２ｍが形成されている。尚、図３〜図６においては、長孔１ｍの図示が省略されている。
【００１８】
地板１の羽根取付領域の反対側の面、即ち羽根室外の面には、シャッタ羽根の駆動手段として、モータ３が取り付けられている。本実施例の場合、このモータ３は、特開２００４−２１４８４７号公報にも記載されているような周知の構成をした電流制御式のムービングマグネット型モータである。そして、このモータ３は、永久磁石を有していて所定の角度範囲内で往復回転する回転子を備えており、その回転子と一体的に回転する駆動ピン３ａは、地板１の長孔１ｍを貫通し、その先端を、カバー板２の長孔２ｍに挿入している。
【００１９】
地板１とカバー板２の間に構成された羽根室内には、モータ３の駆動ピン３ａによって駆動されるシャッタ羽根が配置されている。本実施例のシャッタ羽根は、５枚の羽根からなっているが、作動態様によって、それらの５枚の羽根を三つに分類することができる。先ず第１の分類に属するのは、５枚の羽根の真中に配置されている羽根４であって、この羽根４は、地板１の開口部１ａよりも大きな開口部４ａと、三つの長孔４ｂ，４ｃ，４ｄを有している。そして、長孔４ｂを軸１ｃに嵌合させ、長孔４ｃを二つの軸１ｄ，１ｅに嵌合させ、長孔４ｄを駆動ピン３ａに嵌合させている。そのため、この羽根４は、駆動ピン３ａが往復作動すると、長孔４ｂ，４ｃの長さ方向に直線的にスライドするようになっている。
【００２０】
第２の分類に属するのは、地板１と羽根４の間に配置されている２枚の羽根５，６である。そのうち、地板１側に配置されている羽根５は、円形の孔５ａと長孔５ｂを有していて、孔５ａを軸１ｃに嵌合させている。また、長孔５ｂは、羽根６に隠れていて形状が分かりにくいが、羽根４の長孔４ｄと類似の形状をしていて、駆動ピン３ａに嵌合している。そのため、軸１ｃには、羽根４の長孔４ｂと、羽根５の孔５ａの両方が嵌合していることになる。また、羽根４側に配置されているもう一方の羽根６は、円形の孔６ａと長孔６ｂを有していて、孔６ａを軸１ｂに嵌合させ、長孔６ｂを駆動ピン３ａに嵌合させている。そして、これらの羽根５，６は、駆動ピン３ａが往復作動すると、軸１ｂ，１ｃを中心にして、同じ方向へ同時に往復回転させられるが、駆動ピン３ａの作動軌跡からは軸１ｃの方が軸１ｂよりも近くに立設されているので、羽根５の方が羽根６よりも大きく（速く）回転するようになっている。
【００２１】
第３の分類に属するのは、カバー板２と羽根４の間に配置されている２枚の羽根７，８である。そのうち、カバー板２側に配置されている羽根７は、円形の孔７ａと長孔７ｂを有していて、孔７ａを軸１ｆに嵌合させ、長孔７ｂを駆動ピン３ａに嵌合させている。また、羽根４側に配置されているもう一方の羽根８は、円形の孔８ａと長孔８ｂを有していて、孔８ａを軸１ｇに嵌合させ、長孔８ｂを駆動ピン３ａに嵌合させている。そして、それらの羽根７，８は、駆動ピン３ａが往復作動すると、軸１ｆ，１ｇを中心にして、同じ方向へ同時に往復回転させられるが、上記した駆動ピン３ａに対する軸１ｃ，１ｂの関係と同じ理由によって、羽根７の方が羽根８よりも大きく（速く）回転するようになっている。更に、このとき、羽根７，８は、上記の羽根５，６と同時に作動させられることになるが、羽根５，６とはその回転方向が逆になる。
【００２２】
次に、図２〜図６を用いて本実施例の作動を説明するが、これらの図面は、図１で説明したカバー板２を取り外して示したものである。また、これらの図面においては、図１で説明した、駆動ピン３ａに嵌合している各羽根４〜８の長孔４ｄ，５ｂ，６ｂ，７ｂ，８ｂに対し、符号付けを省略している。尚、本実施例のシャッタ装置は、銀塩フィルムカメラにも、デジタルカメラにも採用することの可能なものである。そして、周知のように、この種のシャッタ装置の場合には、銀塩フィルムカメラに採用された場合と、デジタルカメラに採用された場合とで、シャッタ羽根を作動させる順序が異なるのが普通である。しかしながら、ここでは、それらの両方を説明する必要もないと考えるので、デジタルカメラに採用された場合のごく一般的な作動方法を説明することにする。
【００２３】
図２は、デジタルカメラに採用されたときの初期状態（撮影待機状態）を示したものであり、カメラの電源スイッチはオン状態になっている。そのため、撮影レンズに入射した被写体光は、開口部１ａを通過して固体撮像素子に当たっており、撮影者は、被写体像をモニターで観察することが可能になっている。また、このとき、モータ３の固定子コイルには通電されていないが、周知のように（上記の特開２００４−２１４８４７号公報にも記載されている）、回転子の永久磁石の磁極と固定子の磁性体部材との配置関係によって、回転子には一方方向へ回転する力が付与されている。そのため、図２においては、回転子の時計方向への回転に伴って駆動ピン３ａも回転し、右方向へ移動する力が与えられているが、羽根５，６がストッパ１ｈに接触し、羽根７がストッパ１ｊに接触しているため、この状態が維持されている。
【００２４】
撮影に際してレリーズボタンを押すと、固体撮像素子に蓄積されていた電荷が放出され、あらたな電荷の蓄積開始によって撮影が開始する。その後、所定の時間が経過すると、露光制御回路からの信号によって、モータ３の固定子コイルに通電され、回転子が反時計方向へ回転させられる。そのため、駆動ピン３ａも円弧を描きながら左方向へ移動し、５枚の羽根４〜８の長孔（符号を省略してある）の縁を押していく。それによって、真中の羽根４は、軸１ｃ，１ｄ，１ｅに案内されて、左下方向へ直線的にスライドしていく。また、羽根５，６は、各々軸１ｃ，１ｂで反時計方向へ回転し、羽根７，８は、各々軸１ｇ，１ｆで時計方向へ回転していく。図３は、そのようにして、羽根４が直線的に作動を開始し、羽根５，６と羽根７，８とが相反する方向へ回転を開始して、開口部１ａを閉じ始めたときの状態を示したものである。
【００２５】
図４は、その後、５枚の羽根４〜８が、閉じ作動行程の略中間位置に達した状態を示したものである。ところで、本実施例の場合には、各羽根４〜８は、全体として細長い形状をしており、全てそれらの一端を、開口部１ａの右方向の領域で、地板１に取り付けられている。カメラ用の羽根駆動装置においては、このような細長い羽根は、作動中に複雑な動きをし、撓まされてしまう場合のあることが知られている。そして、そのように撓まされた場合には、開口部４ａを形成した羽根４が存在していないと、この図４の状態の直後の作動行程において、羽根５，６の先端部と羽根７，８の先端部とが衝突して噛み合ってしまうことになる。しかし、本実施例の場合には、それらの間に、開口部４ａを有した形状の羽根４を配置しているので、そのような先端部同士は接触すらしないようになっている。そのため、その後、各羽根は、そのような事態を発生することなく、図５に示された状態になる。
【００２６】
その後、開口部１ａが完全に閉じられると、その直後に羽根４がストッパ１ｋに当接する。そのとき、羽根４が若干撓むことがあったり、各羽根の嵌合部における公差の影響があったりして、他の羽根５〜８が若干回転をし続けることがある。ところが、そのような回転は、羽根５がストッパ１ｊに当接し、羽根７，８がストッパ１ｈに当接することによって阻止され、最終的には、図６に示された状態で静止する。そして、この図６から分かるように、このとき、羽根４は、他の４枚の羽根５〜８では覆いきれない開口部１ａの左上方部を覆っている。羽根４は、その役目が上記のような作動中の噛み合いを防止するためだけであるならば、周知の中間板のようにして、地板１とカバー板２との間に固定配置するだけでよいことになるが、本実施例の場合には、それだけではないため、このように羽根として構成されている。
【００２７】
このようにして開口部１ａが閉鎖すると、その状態において固体撮像素子に電荷として蓄積された撮像情報が、記憶装置に転送される。そして、その転送が終了すると、モータ３の固定子コイルに対して、上記の場合とは逆方向の通電が行われる。そのため、回転子も逆方向へ回転して、図６において、駆動ピン３ａを円弧状に右方向へ作動させる。そのため、５枚の羽根４〜８は、上記とは逆の作動をし、開口部１ａを開放していく。そして、開口部１ａが全開になると、その直後に、羽根５，６がストッパ１ｈに当接し、羽根７がストッパ１ｊに当接する。そして、このとき、当接した羽根５，６，７が撓んだとしても、羽根４がストッパ１ｉに当接するので、最終的には、図２に示された状態で静止する。そして、モータ３の固定子コイルに対する通電を断つと、初期状態に復帰したことになる。
【００２８】
尚、本実施例は、シャッタ装置であるが、上記の羽根４〜８を、撮影レンズの前面（被写体側）で開閉作動させるように配置した場合には、レンズバリア装置としてカメラに採用することが可能になる。このことは、以下に説明する実施例２の場合も同じである。
【実施例２】
【００２９】
次に、図７及び図８を用いて実施例２を説明する。本実施例もシャッタ装置であって、図７は、上記の図２と同様に、カバー板を取り除いてシャッタ羽根の全開状態を示したものであり、図８は、同様にして、シャッタ羽根の閉鎖状態を示したものである。そこで、先ず、構成から説明する。本実施例の地板１１も合成樹脂製であり、図示していないカバー板との間に羽根室を構成しているが、そのカバー板の図示は省略されている。地板１１には、中央部よりも右寄りに被写体光路用の開口部１１ａが形成されており、地板１１の左端と開口部１１ａとの間の羽根室側の面が羽根取付領域となっている。また、図示していないカバー板にも、開口部１１ａと対向する位置に被写体光路用の開口部が形成されているが、本実施例の場合にも、開口部１１ａが撮影光路を規制するようになっている。
【００３０】
地板１１には、羽根室側の面に、三つの軸１１ｂ，１１ｃ，１１ｄと、三つのストッパ１１ｅ，１１ｆ，１１ｇが立設されている。そして、それらのうち、三つの軸１１ｂ，１１ｃ，１１ｄとストッパ１１ｆは、羽根取付領域に設けられている。また、地板１１の羽根取付領域には、円弧状の長孔１１ｈが形成されている。地板１１の羽根取付領域の背面、即ち羽根室外の面には、モータ１２が取り付けられている。本実施例のモータ１２は、実施例１のモータ３と全く同じ構成のモータであって、永久磁石を有していて所定の角度範囲内でだけ往復回転する回転子１２ａを備えており、その回転子１２ａと一体的に回転する駆動ピン１２ｂは、上記の長孔１１ｈを貫通し、羽根室内に延伸されている。
【００３１】
羽根室内に配置されている本実施例のシャッタ羽根は、３枚の羽根１３，１４，１５からなっている。そのうち、真中に配置されている羽根１３は、地板１１の開口部１１ａよりも大きな開口部１３ａと、円形の孔と、長孔とを有していて、円形の孔を軸１１ｃに回転可能に嵌合させ、長孔を駆動ピン１２ｂに嵌合させている。そのため、この羽根１３の場合は、実施例１の羽根４とは異なり、駆動ピン１２ｂが往復作動すると、軸１１ｃで回転するようになっている。また、その羽根１３と地板１１との間に配置されている羽根１４は、円形の孔と、長孔とを有していて、円形の孔を軸１１ｂに回転可能に嵌合させ、長孔を駆動ピン１２ｂに嵌合させている。更に、羽根１３とカバー板との間に配置されている羽根１５は、円形の孔と、長孔とを有していて、円形の孔を軸１１ｄに回転可能に嵌合させ、長孔を駆動ピン１２ｂに嵌合させている。そして、これらの羽根１３，１４，１５は、駆動ピン１２ｂの作動軌跡から各回転軸１１ｃ，１１ｂ，１１ｄまでの距離が短い順に大きく（速く）回転するようになっている。
【００３２】
次に、本実施例の作動を簡単に説明するが、本実施例の場合にもデジタルカメラに採用された場合で説明する。図７は、本実施例の初期状態（撮影待機状態）を示したものであり、このとき、カメラの電源スイッチはオン状態になっている。そのため、この初期状態においては、撮影者は、被写体像をモニターで観察することが可能になっている。また、このとき、モータ１２の固定子コイルには通電されていないが、回転子１２ａの永久磁石の磁極と固定子の磁性体部材との配置関係によって、回転子１２ａには反時計方向へ回転する力が付与されている。そのため、駆動ピン１２ｂによって、羽根１３，１４には反時計方向へ回転する力が与えられ、羽根１５には時計方向へ回転する力が与えられているが、羽根１３，１４がストッパ１１ｆ，１１ｅに接触しているため、この状態が維持されている。
【００３３】
撮影に際してレリーズボタンを押すと、固体撮像素子に蓄積されていた電荷が放出され、あらたな電荷の蓄積開始によって撮影が開始する。その後、所定の時間が経過すると、露光制御回路からの信号によって、モータ３の固定子コイルに通電され、回転子１２ａが時計方向へ回転させられる。そのため、駆動ピン１２ｂによって、開口部１３ａを有している羽根１３と羽根１４とは時計方向へ、羽根１５は反時計方向へ回転させられて、開口部１１ａを閉じていく。このとき、羽根１３が存在していないと、羽根１４と羽根１５は、相反する方向へ回転するため、作動中に撓まされて、それらの先端が噛み合ってしまうおそれがあるが、本実施例の場合には、それらの羽根１４，１５の間に羽根１３が存在しているため、そのような事態は生じない。
【００３４】
そして、開口部１１ａが完全に閉じられると、その直後に羽根１３がストッパ１１ｇに当接し、回転子１２ａと３枚の羽根１３，１４，１５の回転が停止する。図８は、その停止状態を示したものである。図８から分かるように、このとき、羽根１３は、他の２枚の羽根１４，１５だけでは覆うことの不可能な開口部１１ａの上方領域を覆っている。従って、開口部１３ａを有している羽根１３は、このような役目と、上記のような閉じ作動中に羽根１４，１５が噛み合わないようにする役目とを、兼ね備えているものである。
【００３５】
このようにして開口部１１ａが閉鎖すると、その状態において固体撮像素子に電荷として蓄積された撮像情報が、記憶装置に転送される。そして、その転送が終了すると、モータ１２の固定子コイルに対して、上記の場合とは逆方向の通電が行われる。それによって、回転子１２ａは反時計方向へ回転し、羽根１３，１４を反時計方向へ回転させ、羽根１５を時計方向へ回転させることによって、開口部１１ａを開放させていく。その後、開口部１１ａが全開になると、その直後に、羽根１３がストッパ１１ｆに当接し、羽根１４がストッパ１１ｅに当接することによって、回転子１２と３枚の羽根１３，１４，１５の回転が停止する。そして、モータ１２の固定子コイルに対する通電を断つと、図７に示された初期状態に復帰したことになる。
【００３６】
尚、本実施例の場合には、羽根１３の両側の羽根１４，１５が、各々１枚構成となっているが、上記の実施例１のように、各々２枚ずつで構成しても構わないし、いずれか一方だけを２枚で構成しても構わない。従って、このことから、実施例１の場合には、２枚構成の羽根５，６と羽根７，８のいずれか一方を１枚構成にしても構わないし、両方とも１枚構成にしても構わない。
【実施例３】
【００３７】
次に、図９及び図１０を用いて実施例３を説明する。本実施例は絞り装置であって、図９は、カバー板を取り除いて、羽根室内における絞り羽根の撮影待機状態を示したものであり、図１０は、同様にして、絞り羽根の絞込み状態を示したものである。そして、本実施例の絞り羽根は、実施例１におけるシャッタ羽根と同様に、５枚の羽根で構成されていて、その作動も、実施例１のシャッタ羽根の場合と似ている。そこで、先ず、本実施例の構成を説明する。地板２１は、合成樹脂製であり、その中央よりも右寄りに被写体光路用の開口部２１ａが形成されている。そして、左端と開口部２１ａとの間に存在する羽根室側の領域を羽根取付領域としている。また、図示していないカバー板が、地板２１に取り付けられていて、地板２１との間に羽根室を構成している。そして、そのカバー板には、開口部２１ａと対向するところに、開口部２１ａよりも若干大きな被写体光路用の開口部が形成されている。従って、本実施例の場合にも、地板２１に形成された開口部２１ａが撮影光路を規制するようになっている。
【００３８】
地板２１には、その羽根取付領域に、六つの軸２１ｂ，２１ｃ，２１ｄ，２１ｅ，２１ｆ，２１ｇが立設されているほか、柱状の二つのストッパ２１ｈ，２１ｉが立設されている。そして、それらの軸とストッパの先端は、それぞれ図示していないカバー板に形成された各々の孔に挿入されている。また、地板２１の羽根取付領域には、実施例１における地板１の長孔１ｍと同様に、円弧状の長孔が形成されているが、図９，図１０においては、その図示が省略されている。また、図示していないカバー板にも、その長孔と対向するところに、同じ形状の長孔が形成されている。更に、地板２１は、羽根取付領域の反対側の面に、実施例１，２のモータ３，１２と同じ構成のモータを、絞り羽根の駆動手段として取り付けているが、図９及び図１０では、その回転子２２と駆動ピン２３を示してある。そして、その駆動ピン２３は、地板２１の上記した図示していない長孔を貫通し、その先端を、図示していないカバー板の長孔に挿入している。
【００３９】
羽根室内には、モータの駆動ピン２３によって駆動される絞り羽根が配置されている。本実施例の絞り羽根は、上記のように５枚の羽根からなっている。それらの羽根の真中に配置されている羽根２４は、地板２１の開口部２１ａよりも大きな開口部２４ａと、三つの長孔を有している。そして、第１の長孔２４ｂを軸２１ｃに嵌合させ、第２の長孔２４ｃを二つの軸２１ｄ，２１ｅに嵌合させ、符合を付けていない第３の長孔を駆動ピン２３に嵌合させている。そのため、この羽根２４は、駆動ピン２３が往復作動すると、長孔２４ｂ，２４ｃの長さ方向に直線的にスライドするようになっている。
【００４０】
また、地板２１と羽根２４の間に配置されている２枚の羽根２５，２６のうち、地板２１側に配置されている羽根２５は、円形の孔２５ａと符号を付けていない長孔を有していて、その孔２５ａを軸２１ｂに回転可能に嵌合させ、長孔を駆動ピン２３に嵌合させている。また、羽根２４側に配置されているもう一方の羽根２６は、円形の孔２６ａと、符号を付けていない長孔と、開口規制縁２６ｂとを有していて、孔２６ａを軸２１ｃに嵌合させ、長孔を駆動ピン２３に嵌合させている。そして、これらの羽根２５，２６は、駆動ピン２３が往復作動すると、軸２１ｂ，２１ｃを中心にして、同じ方向へ同時に往復回転させられるが、前記のように、羽根２６の方が羽根２５よりも大きく（速く）回転するようになっている。
【００４１】
更に、図示していないカバー板と羽根２４の間に配置されている２枚の羽根２７，２８のうち、カバー板側に配置されている羽根２７は、円形の孔２７ａと符号を付けていない長孔を有していて、孔２７ａを軸２１ｇに嵌合させ、長孔を駆動ピン２３に嵌合させている。また、羽根２４側に配置されているもう一方の羽根２８は、円形の孔２８ａと、符号を付けていない長孔と、開口規制縁２８ｂを有していて、孔２８ａを軸２１ｆに嵌合させ、長孔を駆動ピン２３に嵌合させている。そして、それらの羽根２７，２８は、駆動ピン２３が往復作動すると、軸２１ｇ，２１ｆを中心にして、同じ方向へ同時に往復回転させられるが、前記のように、羽根２８の方が羽根２７よりも大きく（速く）回転するようになっている。また、このとき、羽根２７，２８は、上記の羽根２５，２６と同時に作動させられることになるが、羽根２５，２６とはその回転方向が相反する方向となる。
【００４２】
次に、本実施例の作動を説明する。尚、本実施例の絞り装置は、銀塩フィルムカメラにも、デジタルカメラにも採用することの可能なものである。そして、周知のように、この種の絞り装置の場合には、銀塩フィルムカメラに採用された場合でも、デジタルカメラに採用された場合でも、撮影が行われる前には、開口部２１ａを全開にしているのが普通である。そのため、本実施例の作動説明も、そのような場合で説明する。図９は、本実施例の初期状態（撮影待機状態）を示したものであり、カメラの電源スイッチはオン状態になっている。このとき、モータの固定子コイルには通電されていないが、上記の各実施例の場合と同様に、回転子２２には反時計方向へ回転する力が付与されているが、羽根２４がストッパ２１ｈに接触しているため、この状態が維持されている。
【００４３】
撮影に際してレリーズボタンを押すと、測光装置による測光結果によって、被写体光を減光して撮影するか、減光しないで撮影するかが判断される。そして、減光しないで撮影すべきと判断された場合には、図９に示された状態のまま撮影が行われ、絞り装置は全く作動しない。それに対して、減光して撮影すべきと判断された場合には、モータの固定子コイルに通電され、回転子２２が時計方向へ回転させられる。そのため、駆動ピン２３も円弧状に移動し、５枚の羽根２４〜２８の長孔（符号を省略してある）の縁を押していく。それによって、真中の羽根２４は、軸２１ｃ，２１ｄ，２１ｅに案内されて、右下方向へ直線的にスライドしていく。また、羽根２５，２６は、各々軸２１ｂ，２１ｃで時計方向へ回転し、羽根２７，２８は、各々軸２１ｇ，２１ｆで反時計方向へ回転していく。即ち、羽根２４は直線的に作動するが、羽根２５，２６と羽根２７，２８とは相反する方向へ回転をし、開口部２１ａを覆っていくことになる。
【００４４】
この作動行程において、羽根２４を備えていないと、４枚の羽根２５，２６，２７，２８の先端が撓み易く、羽根２５，２６の先端部と羽根２７，２８の先端部とが衝突して噛み合ってしまうことがあるが、本実施例の場合には、開口部２４ａを有する羽根２４が羽根２５，２６と羽根２７，２８の間に配置されているので、そのような事態は発生しない。このようにして行われる作動は、羽根２４，２５がストッパ２１ｉに当接することによって停止する。図１０は、その停止状態を示したものであるが、このとき、羽根２６の開口規制縁２６ｂと、羽根２８の開口規制縁２８ｂとによって、絞り開口が規制されている。従って、この状態は絞込み状態ということができる。また、このとき、羽根２４は、他の４枚の羽根２５〜２８では覆いきれていない開口部２１ａの右上方部を覆っている。そのため、本実施例の場合にも、羽根２４は、そのような役目と、上記のような作動中の噛み合いを防止する役目を、兼ね備えていることになる。
【００４５】
このようにして図１０に示された状態になると、シャッタ装置等によって撮影が行われる。そして、撮影が終了すると、モータの固定子コイルに対して、上記の場合とは逆方向の通電が行われる。そのため、回転子２２は反時計方向へ回転し、駆動ピン２３によって、５枚の羽根２４〜２８を、上記とは逆方向へ作動させる。そして、開口部２１ａが全開になると、その直後に、羽根２４がストッパ２１ｈに当接し、回転子２２と５枚の羽根２４〜２８の作動が停止する。そして、モータの固定子コイルに対する通電を断つと、図９に示された初期状態に復帰したことになる。
【実施例４】
【００４６】
次に、図１１及び図１２を用いて実施例４を説明する。本実施例も絞り装置であって、図１１は、カバー板を取り除いて、羽根室内における絞り羽根の撮影待機状態を示したものであり、図１２は、同様にして、絞り羽根の絞込み状態を示したものである。そして、本実施例の絞り羽根は、実施例２におけるシャッタ羽根と同様に、３枚の羽根で構成されていて、その作動も、実施例２のシャッタ羽根の場合と類似している。そこで、先ず、本実施例の構成を説明する。地板３１は、合成樹脂製であり、図示していないカバー板との間に羽根室を構成しているが、そのカバー板の図示は省略されている。地板３１には、中央部よりも右寄りに被写体光路用の開口部３１ａが形成されており、地板３１の左端と開口部３１ａとの間の羽根室側の面が羽根取付領域となっている。また、図示していないカバー板にも、開口部３１ａと対向する位置に被写体光路用の開口部が形成されているが、本実施例の場合にも、開口部３１ａが撮影光路を規制するようになっている。
【００４７】
地板３１には、羽根室側の面に、三つの軸３１ｂ，３１ｃ，３１ｄと、三つのストッパ３１ｅ，３１ｆ，３１ｇが立設されている。また、地板３１の羽根取付領域には、円弧状の長孔３１ｈが形成されている。地板３１の羽根取付領域の背面には、モータ３２が取り付けられている。本実施例のモータ３２は、上記の各実施例のモータと全く同じ構成のモータであって、永久磁石を有していて所定の角度範囲内でだけ往復回転する回転子３２ａを備えており、その回転子３２ａと一体的に回転する駆動ピン３２ｂは、上記の長孔３１ｈを貫通し、羽根室内に延伸されている。
【００４８】
羽根室内に配置されている本実施例の絞り羽根は、３枚の羽根３３，３４，３５からなっており、そのうち、真中に配置されている羽根３３は、地板３１の開口部３１ａよりも大きな開口部３３ａと、円形の孔と、長孔とを有していて、円形の孔を軸３１ｃに回転可能に嵌合させ、長孔を駆動ピン３２ｂに嵌合させている。そのため、この羽根３３の場合は、実施例３の羽根２４とは異なり、駆動ピン３２ｂが往復作動すると、軸３１ｃで回転するようになっている。また、羽根３３と地板３１との間に配置されている羽根３４は、円形の孔と、長孔と、開口規制縁３４ａとを有していて、円形の孔を軸３１ｂに回転可能に嵌合させ、長孔を駆動ピン３２ｂに嵌合させている。更に、羽根３３とカバー板との間に配置されている羽根３５は、円形の孔と、長孔と、開口規制縁３５ａとを有していて、円形の孔を軸３１ｄに回転可能に嵌合させ、長孔を駆動ピン３２ｂに嵌合させている。また、これらの羽根３３，３４，３５の回転量は、実施例２の場合と同様に、羽根ごとに異なるようになっている。
【００４９】
次に、本実施例の作動を簡単に説明する．図１１は、本実施例の初期状態（撮影待機状態）を示したものであり、カメラの電源スイッチはオン状態になっている。このとき、モータ３２の固定子コイルには通電されていない。しかしながら、上記の各実施例の場合と同様に、回転子３２ａには反時計方向へ回転する力が付与されているが、羽根３３，３４がストッパ３１ｆ，３１ｅに接触しているため、この状態が維持されている。
【００５０】
撮影に際してレリーズボタンを押すと、測光装置による測光結果によって、被写体光を減光して撮影するか、減光しないで撮影するかが判断される。そして、減光しないで撮影すべきと判断された場合には、図１１に示された状態のまま撮影が行われ、絞り装置は全く作動しない。それに対して、減光して撮影すべきと判断された場合には、モータ３２の固定子コイルに通電され、回転子３２ａが時計方向へ回転させられる。そのため、駆動ピン３２ｂによって、開口部３３ａを有している羽根３３と羽根３４とは時計方向へ、羽根３５は反時計方向へ回転させられて、開口部３１ａを覆っていく。このとき、羽根３３が存在していないと、羽根３４と羽根３５は、相反する方向へ回転するため、作動中に撓まされて、それらの先端部が噛み合ってしまうおそれがあるが、本実施例の場合には、それらの羽根３４，３５の間に羽根３３が存在しているため、そのような事態は生じない。
【００５１】
このようにして行われる作動は、羽根３３がストッパ３１ｇに当接することによって停止する。図１２は、その停止状態を示したものであるが、このとき、羽根３４の開口規制縁３４ａと、羽根３５の開口規制縁３５ａとによって、絞り開口が規制されている。従って、この状態が絞込み状態である。また、このとき、羽根３３は、他の２枚の羽根３４，３５だけでは覆うことの不可能な開口部３１ａの上方領域を覆っている。従って、本実施例の絞り装置の場合にも、開口部３３ａを有している羽根３３は、このような役目と、上記のように作動中に羽根３４，３５が噛み合わないようにする役目とを兼ね備えている。
【００５２】
このようにして図１２に示された状態になると、シャッタ装置等によって撮影が行われる。そして、撮影が終了すると、モータ３２の固定子コイルに対して、上記の場合とは逆方向の通電が行われる。そのため、回転子３２ａは反時計方向へ回転し、駆動ピン３２ｂによって、３枚の羽根３３〜３５を、上記とは逆方向へ回転させる。そして、開口部３１ａが全開になると、その直後に、羽根３３がストッパ３１ｆに当接し、羽根３４がストッパ３１ｅに当接することによって、回転子３２ａと３枚の羽根３３〜３５の回転が停止する。そして、モータ３２の固定子コイルに対する通電を断つと、図１１に示された初期状態に復帰したことになる。
【実施例５】
【００５３】
次に、図１３及び図１４を用いて実施例５を説明する。本実施例はフィルタ装置であって、図１３は、フィルタ羽根の撮影待機状態を示したものであり、図１４は、フィルタ羽根のセット状態を示したものである。そして、本実施例のフィルタ羽根は、実施例３における絞り羽根と同様に、５枚の羽根で構成されていて、その作動は、実施例３の絞り羽根の場合と実質的に同じである。そこで、先ず、本実施例の構成を説明する。地板４１は、合成樹脂製であり、その中央よりも右寄りに被写体光路用の開口部４１ａが形成されている。そして、地板４１の左端と開口部４１ａとの間に存在する羽根室側の領域を羽根取付領域としている。
【００５４】
また、本実施例の場合には、カバー板４２が、その左方の一部を省略して示されている。このカバー板４２は、地板４１に取り付けられていて、地板４１との間に羽根室を構成している。そして、そのカバー板４２には、開口部４１ａと対向するところに、開口部４１ａよりも若干大きな被写体光路用の開口部４２ａが形成されており、その開口部４２ａには、その左下方向の領域を切除して形成した逃げ部４２ｂが連設されている。従って、本実施例の場合にも、地板４１に形成された開口部４１ａが撮影光路を規制するようになっている。
【００５５】
地板４１には、その羽根取付領域に、六つの軸４１ｂ，４１ｃ，４１ｄ，４１ｅ，４１ｆ，４１ｇが立設されているほか、柱状の二つのストッパ４１ｈ，４１ｉが立設されている。そして、それらの軸とストッパの先端は、それぞれカバー板４２に形成されている図示を省略した各々の孔に挿入されている。また、地板４１の羽根取付領域には、実施例１における地板１の長孔１ｍと同様に、円弧状の長孔が形成されているが、図１３，図１４においては、その図示が省略されている。また、カバー板４２にも、その長孔と対向するところに、図示していない同じ形状の長孔が形成されている。更に、地板４１は、羽根取付領域の反対側の面に、上記の各実施例の場合と同じ構成のモータを、フィルタ羽根の駆動手段として取り付けているが、図１３と図１４には、その回転子４３と駆動ピン４４を示してある。そして、その駆動ピン４４は、地板４１の上記した図示していない長孔を貫通し、その先端を、カバー板４２の図示していない長孔に挿入している。
【００５６】
羽根室内には、モータの駆動ピン４４によって駆動されるフィルタ羽根が配置されている。本実施例のフィルタ羽根は、５枚の羽根４５〜４９からなっている。そして、それらの羽根の真中に配置されている羽根４５は、地板４１の開口部４１ａよりも大きな開口部４５ａと、三つの長孔を有している。そして、第１の長孔４５ｂを軸４１ｃに嵌合させ、第２の長孔４５ｃを二つの軸４１ｄ，４１ｅに嵌合させ、符合を付けていない第３の長孔を駆動ピン４４に嵌合させている。そのため、この羽根４５は、駆動ピン４４が往復作動すると、長孔４５ｂ，４５ｃの長さ方向に直線的にスライドするようになっている。
【００５７】
また、地板４１と羽根４５の間に配置されている２枚の羽根４６，４７のうち、地板４１側に配置されている羽根４６は、円形の孔４６ａと符号を付けていない長孔を有していて、その孔４６ａを軸４１ｂに回転可能に嵌合させ、長孔を駆動ピン４４に嵌合させている。また、羽根４５側に配置されているもう一方の羽根４７は、円形の孔４７ａと、符号を付けていない長孔と、開口規制縁４７ｂとを有していて、孔４７ａを軸４１ｃに嵌合させ、長孔を駆動ピン４４に嵌合させている。そして、これらの羽根４６，４７は、駆動ピン４４が往復作動すると、軸４１ｂ，４１ｃを中心にして、同じ方向へ同時に往復回転させられるが、前記のように、羽根４７の方が羽根４６よりも大きく（速く）回転するようになっている。
【００５８】
更に、カバー板４２と羽根４５の間に配置されている２枚の羽根４８，４９のうち、カバー板４２側に配置されている羽根４８は、円形の孔４８ａと、符号を付けていない長孔と、開口規制縁４８ｂとを有していて、孔４８ａを軸４１ｆに嵌合させ、長孔を駆動ピン４４に嵌合させている。そして、この羽根４８には、ＮＤフィルタ板５０の一部が、接着剤等で取り付けられており、開口規制縁４８ｂと上記の羽根４７の開口規制縁４７ｂとによって形成される開口部を覆い得るようになっている。他方、羽根４５側に配置されているもう一方の羽根４９は、円形の孔４９ａと、符号を付けていない長孔を有していて、孔４９ａを軸４１ｇに嵌合させ、長孔を駆動ピン４４に嵌合させている。そして、それらの羽根４８，４９は、駆動ピン４４が往復作動すると、軸４１ｆ，４１ｇを中心にして、同じ方向へ同時に往復回転させられるが、前記のように、羽根４８の方が羽根４９よりも大きく（速く）回転するようになっている。
【００５９】
次に、本実施例の作動を説明する。尚、本実施例のフィルタ装置は、実施例３，４の絞り装置と同様に、銀塩フィルムカメラにも、デジタルカメラにも採用することの可能なものである。そして、構成が酷似していることから、その作動は、実施例３の場合と同様にして行われる。そのため、本実施例の作動は簡単に説明することにする。図１３は、本実施例の初期状態（撮影待機状態）を示したものであり、カメラの電源スイッチはオン状態になっている。このとき、モータの固定子コイルには通電されていないが、上記の各実施例の場合と同様に、回転子４３には反時計方向へ回転する力が付与されているが、羽根４５がストッパ４１ｈに接触しているため、この状態が維持されている。
【００６０】
撮影に際してレリーズボタンを押すと、測光装置による測光結果によって、被写体光を減光して撮影するか、減光しないで撮影するかが判断される。そして、減光しないで撮影すべきと判断された場合には、図１３に示された状態のまま撮影が行われ、フィルタ装置は全く作動しない。それに対して、減光して撮影すべきと判断された場合には、モータの固定子コイルに通電され、回転子４３が時計方向へ回転させられる。そのため、駆動ピン４４によって、真中の羽根４５は右下方向へ直線的にスライドし、羽根４６，４７は時計方向へ回転し、羽根４８，４９は反時計方向へ回転していく。
【００６１】
この作動行程において、羽根４５を備えていないと、羽根４６，４７の先端部と羽根４８，４９の先端部とが衝突して噛み合ってしまうことがあるが、本実施例の場合は、羽根４５を備えているので、そのような事態は発生しない。そして、この作動は、羽根４５，４６がストッパ４１ｉに当接することによって停止する。図１４は、その停止状態を示したものであるが、このとき、羽根４７の開口規制縁４７ｂと、羽根４８の開口規制縁４８ｂとによって、開口部４１ａよりもかなり小さな開口部が形成されているが、その開口部は、羽根４８に取り付けたＮＤフィルタ板５０によって覆われている。従って、この状態は、フィルタ装置にとってのセット状態ということができる。また、このとき、羽根４５は、他の４枚の羽根４６〜４９では覆いきれていない開口部４１ａの右上方部を覆っている。そのため、本実施例の場合にも、羽根４５は、そのような役目と、上記のような作動中の噛み合いを防止する役目を、兼ね備えていることになる。
【００６２】
このようにして図１４に示された状態になると、シャッタ装置等によって撮影が行われる。そして、撮影が終了すると、モータの固定子コイルに対して、上記の場合とは逆方向の通電が行われる。そのため、回転子４３は反時計方向へ回転し、駆動ピン４４によって、５枚の羽根４５〜４９を、上記とは逆方向へ作動させる。そして、開口部４１ａが全開になると、その直後に、羽根４５がストッパ４１ｈに当接し、回転子４３と５枚の羽根４５〜４９の作動が停止する。そして、モータの固定子コイルに対する通電を断つと、図１３に示された初期状態に復帰したことになる。
【００６３】
尚、上記の各実施例においては、アクチュエータとして、ムービングマグネット型モータなどと称されている電流制御式のモータを用いているが、本発明の駆動手段は、そのようなモータに限定されず、ステップモータや電磁プランジャなどの他の電磁駆動手段としても差し支えない。また、それらの電磁駆動手段には、レバー等の仲介部材が含まれていて、その仲介部材に駆動ピンを設けるようにしても差し支えない。従って、本発明の駆動手段は、上記の各実施例のように、必ずしも、羽根室外で地板に取り付ける必要はなく、地板とカバー板の間に形成したスペースに取り付けていて、そのような仲介部材を介して各羽根を作動させるようにしてもよい。
【図面の簡単な説明】
【００６４】
【図１】実施例１のシャッタ装置の分解斜視図である。
【図２】図１のシャッタ装置からカバー板を取り除いてシャッタ羽根の全開状態を示した平面図である。
【図３】シャッタ羽根の閉じ作動の開始直後の状態を、図２と同様にして示した平面図である。
【図４】シャッタ羽根の閉じ行程の略中間の状態を、図２と同様にして示した平面図である。
【図５】シャッタ羽根の閉じ作動の終了直前の状態を、図２と同様にして示した平面図である。
【図６】シャッタ羽根の閉鎖状態を、図２と同様にして示した平面図である。
【図７】実施例２のシャッタ装置の全開状態を、カバー板を取り除いて示した平面図である。
【図８】図７と同様にして、シャッタ羽根の閉鎖状態を示した実施例２の平面図である。
【図９】実施例３の絞り装置の待機状態を、カバー板を取り除いて示した平面図である。
【図１０】図９と同様にして、絞り羽根の絞込み状態を示した実施例３の平面図である。
【図１１】実施例４の絞り装置の待機状態を、カバー板を取り除いて示した平面図である。
【図１２】図１１と同様にして、絞り羽根の絞込み状態を示した実施例４の平面図である。
【図１３】実施例５のフィルタ装置の待機状態を示した平面図である。
【図１４】フィルタ羽根のセット状態を示した実施例５の平面図である。
【符号の説明】
【００６５】
１，１１，２１，３１，４１        地板
１ａ，２ａ，４ａ，１１ａ，１３ａ，２１ａ，２４ａ，３１ａ，３３ａ，４１ａ，４２ａ，４５ａ  開口部
１ｂ〜１ｇ，１１ｂ〜１１ｄ，２１ｂ〜２１ｇ，３１ｂ〜３１ｄ，４１ｂ〜４１ｇ  軸
１ｈ〜１ｋ，１１ｅ〜１１ｇ，２１ｈ，２１ｉ，３１ｅ〜３１ｇ，４１ｈ，４１ｉ  ストッパ
１ｍ，２ｍ，４ｂ〜４ｄ，５ｂ，６ｂ，７ｂ，８ｂ，１１ｈ，２４ｂ，２４ｃ，３１ｈ，４５ｂ，４５ｃ  長孔
２，４２                          カバー板
２ｂ〜２ｋ，５ａ，６ａ，７ａ，８ａ，２５ａ，２６ａ，２７ａ，２８ａ，４６ａ，４７ａ，４８ａ，４９ａ  孔
３，１２，３２                    モータ
３ａ，１２ｂ，２３，３２ｂ，４４  駆動ピン
４〜８，１３〜１５，２４〜２８，３３〜３５，４５〜４９  羽根
１２ａ，２２，３２ａ，４３        回転子
２６ｂ，２８ｂ，３４ａ，３５ａ，４７ｂ，４８ｂ    開口規制縁
４２ｂ                            逃げ部
５０                              ＮＤフィルタ板
【図１】
2006178366.tif 000003
【図２】
2006178366.tif 000004
【図３】
2006178366.tif 000005
【図４】
2006178366.tif 000006
【図５】
2006178366.tif 000007
【図６】
2006178366.tif 000008
【図７】
2006178366.tif 000009
【図８】
2006178366.tif 000010
【図９】
2006178366.tif 000011
【図１０】
2006178366.tif 000012
【図１１】
2006178366.tif 000013
【図１２】
2006178366.tif 000014
【図１３】
2006178366.tif 000015
【図１４】
2006178366.tif 000016